(57)【要約】【課題】カメラ撮影の際に、より有効に盗撮を防止できるようにすること。【解決手段】カメラ撮影の際の盗撮防止機能を有する携帯端末１において、操作部２２におけるシャッターキーの押下によりスピーカ部１７からシャッター音を出力するように制御するとともに、前記シャッター音の出力の際にカメラ部１２によるカメラ撮影を実行するように制御する制御部１１と、スピーカ部１７から出力された出力シャッター音と、マイク部１８で集音された音とを比較し、出力シャッター音がマイク部１８に集音されたか否かを判定する音認識部２１と、を備える。制御部１１は、音認識部２１で出力シャッター音が集音されたと判定された場合にのみカメラ撮影を実行し、かつ、撮影された画像データを記憶部１３に保存するように制御する。【選択図】図１
2008236173.tif 000002
【特許請求の範囲】
【請求項１】
シャッターキーの押下によりスピーカ部からシャッター音を出力するように制御するとともに、前記シャッター音の出力の際にカメラ部によるカメラ撮影を実行するように制御する制御部と、
前記スピーカ部から出力された出力シャッター音と、マイク部で集音された音とを比較し、前記出力シャッター音が前記マイク部に集音されたか否かを判定する音認識部と、
を備え、
前記制御部は、前記音認識部で前記出力シャッター音が集音されたと判定された場合にのみ、又は、前記出力シャッター音を出力した後、若しくは、前記出力シャッター音の出力と並行して、カメラ撮影を実行するとともに、前記音認識部で前記出力シャッター音が集音されたと判定された場合にのみ、撮影された画像データを記憶部に保存するように制御することを特徴とする携帯端末。
【請求項２】
前記音認識部は、前記マイク部で集音された音のうち、前記出力シャッター音の出力後の所定時間内の音を用いて、前記出力シャッター音が前記マイク部に集音されたか否かを判定することを特徴とする請求項１記載の携帯端末。
【請求項３】
前記制御部は、前記音認識部にて任意の設定された音声を認識することにより、カメラ撮影、又は前記画像データの保存を中止するように制御することを特徴とする請求項１又は２記載の携帯端末。
【請求項４】
前記制御部は、前記画像データの保存後の所定時間内に、前記音認識部にて任意の設定された音声を認識することにより、保存した前記画像データを消去するように制御することを特徴とする請求項１乃至３のいずれか一に記載の携帯端末。
【請求項５】
前記音認識部は、前記マイク部に集音された前記出力シャッター音が所定音量を満たす場合のみ、前記出力シャッター音が前記マイク部に集音されたと判定することを特徴とする請求項１乃至４のいずれか一に記載の携帯端末。
【請求項６】
前記制御部は、前記音認識部で前記出力シャッター音が集音されなかったと判定された場合に、カメラ撮影、又は前記画像データの保存が不可である旨を通知することを特徴とする請求項１乃至５のいずれか一に記載の携帯端末。
【請求項７】
スピーカ部から出力された出力シャッター音と、マイク部で集音された音とを比較し、前記出力シャッター音が前記マイク部に集音されたか否かを判定するステップと、
前記出力シャッター音が集音されたと判定された場合にのみ、又は、前記出力シャッター音を出力した後、若しくは、前記出力シャッター音の出力と並行して、カメラ撮影を実行するステップと、
前記出力シャッター音が集音されたと判定された場合にのみ、撮影された画像データを記憶部に保存するステップと、
を実行させることを特徴とするプログラム。
【請求項８】
前記マイク部で集音された音のうち、前記出力シャッター音の出力後の所定時間内の音を用いて、前記出力シャッター音が前記マイク部に集音されたか否かを判定するステップを実行することを特徴とする請求項７記載のプログラム。
【請求項９】
任意の設定された音声を認識することにより、カメラ撮影、又は前記画像データの保存を中止するステップを実行させることを特徴とする請求項７又は８記載のプログラム。
【請求項１０】
前記画像データの保存後の所定時間内に、任意の設定された音声を認識することにより、保存した前記画像データを消去するステップを実行させることを特徴とする請求項７乃至９のいずれか一に記載のプログラム。
【請求項１１】
前記マイク部に集音された前記出力シャッター音が所定音量を満たす場合のみ、前記出力シャッター音が前記マイク部に集音されたと判定するステップを実行させることを特徴とする請求項７乃至１０のいずれか一に記載のプログラム。
【請求項１２】
前記出力シャッター音が集音されなかったと判定された場合に、カメラ撮影、又は前記画像データの保存が不可である旨を通知するステップを実行させることを特徴とする請求項７乃至１１のいずれか一に記載のプログラム。
【発明の詳細な説明】
【技術分野】
【０００１】
本発明は、カメラ機能を有する携帯端末及びプログラムに関し、特に、カメラ撮影の際の盗撮防止機能を有する携帯端末及びプログラムに関する。
【背景技術】
【０００２】
従来、携帯電話機、携帯情報端末（ＰＤＡ）等の携帯端末の多くにはデジタルカメラ機能が備えられており、デジタルカメラ機能により容易にカメラ撮影をすることが可能となっている。しかしながら、その手軽さ故に盗撮の問題も多数発生している。そこで、盗撮を防止するために、携帯端末においては、例えば、撮影時に撮影状態表示用のＬＥＤ等を点灯させたり、撮影時のシャッター押下時にシャッター音を発生させることにより周囲に撮影動作が行われたことを知らせる機能が付加されている。
【０００３】
また、携帯端末における盗撮防止に関する従来技術として、例えば、特許文献１では、装置を折畳式構成とし、装置を所定角度以上開いた状態としなければ撮影できないようにするとともに、撮影不可状態で撮影を行うと警告音が鳴って撮影失敗を知らせる一方、撮影と同時にサブディスプレイを発光させて撮影動作が行われたことを周辺の人々に報知する折畳式通信端末装置（携帯端末）が提案されている。
【０００４】
【特許文献１】特開２００２−３０５５６６号公報
【発明の開示】
【発明が解決しようとする課題】
【０００５】
しかしながら、従来の携帯端末では、撮影時に撮影状態表示用のＬＥＤやサブディスプレイを隠すことが比較的容易であり、周囲雑音が大きい場所での撮影ではシャッター音発生による盗撮防止の抑制効果が有効でない等の問題がある。また、シャッター音を鳴動するスピーカ部を塞いだり、スピーカ部を取り外す等の行為により盗撮防止機能を無効にすることも可能である。
【０００６】
本発明の主な課題は、カメラ撮影の際により有効に盗撮を防止できるようにすることである。
【課題を解決するための手段】
【０００７】
本発明の第１の視点においては、カメラ撮影の際の盗撮防止機能を有する携帯端末において、シャッターキーの押下によりスピーカ部からシャッター音を出力するように制御するとともに、前記シャッター音の出力の際にカメラ部によるカメラ撮影を実行するように制御する制御部と、前記スピーカ部から出力された出力シャッター音と、マイク部で集音された音とを比較し、前記出力シャッター音が前記マイク部に集音されたか否かを判定する音認識部と、を備え、前記制御部は、前記音認識部で前記出力シャッター音が集音されたと判定された場合にのみ、又は、前記出力シャッター音を出力した後、若しくは、前記出力シャッター音の出力と並行して、カメラ撮影を実行するとともに、前記音認識部で前記出力シャッター音が集音されたと判定された場合にのみ、撮影された画像データを記憶部に保存するように制御することを特徴とする。
【０００８】
本発明の前記携帯端末において、前記音認識部は、前記マイク部で集音された音のうち、前記出力シャッター音の出力後の所定時間内の音を用いて、前記出力シャッター音が前記マイク部に集音されたか否かを判定することが好ましい。
【０００９】
本発明の前記携帯端末において、前記制御部は、前記音認識部にて任意の設定された音声を認識することにより、カメラ撮影、又は前記画像データの保存を中止するように制御することが好ましい。
【００１０】
本発明の前記携帯端末において、前記制御部は、前記画像データの保存後の所定時間内に、前記音認識部にて任意の設定された音声を認識することにより、保存した前記画像データを消去するように制御することが好ましい。
【００１１】
本発明の前記携帯端末において、前記音認識部は、前記マイク部に集音された前記出力シャッター音が所定音量を満たす場合のみ、前記出力シャッター音が前記マイク部に集音されたと判定することが好ましい。
【００１２】
本発明の前記携帯端末において、前記制御部は、前記音認識部で前記出力シャッター音が集音されなかったと判定された場合に、カメラ撮影、又は前記画像データの保存が不可である旨を通知することが好ましい。
【００１３】
本発明の第２の視点において、カメラ撮影の際の盗撮を防止するためのプログラムにおいて、前記携帯端末において行われる各動作を実行させることを特徴とする。
【発明の効果】
【００１４】
本発明によれば、周囲雑音が大きい場所や水中などのスピーカ音が聞こえづらい環境下においても、カメラ撮影の際に盗撮防止機能を提供することができる。また、スピーカ音孔を塞いだり、スピーカをはずすなど、スピーカ音出力による盗撮防止効果が低い状況においても、カメラ撮影による盗撮を防止する機能を提供することができる。
【発明を実施するための最良の形態】
【００１５】
（実施形態１）
本発明の実施形態１に係る携帯端末について図面を用いて説明する。図１は、本発明の実施形態１に係る携帯端末の主な構成部を模式的に示したブロック図である。
【００１６】
携帯端末１は、カメラ機能を有するとともに、カメラ撮影の際の盗撮防止機能を有する携帯電話機、携帯情報端末（ＰＤＡ）等の携帯端末である。携帯端末１は、プログラムに基づいて所定の動作を実行させるコンピュータ機能を有する。携帯端末１は、主な構成部として、制御部１１と、カメラ部１２と、記憶部１３と、音源部１４と、Ｄ／Ａ変換部１５と、スピーカアンプ部１６と、スピーカ部１７と、マイク部１８と、マイクアンプ部１９と、Ａ／Ｄ変換部２０と、音認識部２１と、操作部２２と、を有する。
【００１７】
制御部１１は、プログラムに基づいて各構成部の動作を制御する。カメラ部１２は、光学レンズおよび光学センサにより構成され、光学レンズを介して入力される画像を光学センサで電気信号に変換し、電気信号を画像データに変換する。画像データは、静止画に限らず、連写、動画撮影も含まれる。記憶部１３は、画像データ、プログラム等のデータを記憶する。
【００１８】
音源部１４は、スピーカ部１７から出力させるシャッター音に係るデジタルデータを生成し、生成したデジタルデータを、Ｄ／Ａ変換部１５、及び、制御部１１を介して音認識部２１に向けて出力する。Ｄ／Ａ変換部１５は、音源部１４からのシャッター音に係るデジタルデータをアナログデータに変換する。スピーカアンプ部１６は、Ｄ／Ａ変換部１５からのシャッター音に係るアナログデータの出力を増幅する。スピーカ部１７は、Ｄ／Ａ変換部１５からの増幅されたアナログデータに基づいてシャッター音を外部に出力する。
【００１９】
マイク部１８は、外部からのシャッター音を集音しアナログデータに変換する。マイクアンプ部１９は、マイク部１８からのシャッター音に係るアナログデータを増幅する。Ａ／Ｄ変換部２０は、マイクアンプ部１９からの増幅されたシャッター音に係るアナログデータをデジタルデータへと変換する。音認識部２１は、音源部１４から制御部１１を介して入力されたシャッター音に係るデジタルデータ（スピーカ部１７から出力される出力シャッター音）と、マイク部１８からマイクアンプ部１９及びＡ／Ｄ変換部２０を介して入力されたシャッター音に係るデジタルデータ（マイク部１８で集音される集音シャッター音）と、を比較し、出力シャッター音がマイク部１８に集音されているか否かを判定する。音認識部２１におけるシャッター音を認識する方法として、既存の音声認識技術や、曲特有の特徴を元に楽曲判定を行うオーディオ波形認識技術などを利用することが可能である。
【００２０】
操作部２２は、シャッターキー、撮影モード（静止画、連写、動画等）を指定するためのモードキー、テンキー、各種ファンクションキーを有し、それらのキー操作による押下信号を制御部１１に向けて出力する。
【００２１】
次に、本発明の実施形態１に係る携帯端末の動作を図面を用いて説明する。図２は、本発明の実施形態１に係る携帯端末の動作を模式的に示したフローチャートである。
【００２２】
まず、ユーザが、カメラ撮影の際に操作部２２のシャッターキーを押下する（ステップＡ１）。
【００２３】
次に、制御部１１は、音源部１４を制御してシャッター音をスピーカ部１７から出力させる（ステップＡ２）。
【００２４】
シャッター音が出力された後、又は、シャッター音の出力と並行して、制御部１１は、カメラ部１２を制御してカメラ撮影を実行させ、音認識部２１を制御してマイク部１８でシャッター音を集音させる（ステップＡ３）。
【００２５】
次に、音認識部２１は、音源部１４から出力されたシャッター音（出力シャッター音）と、マイク部１８で集音されたシャッター音（集音シャッター音）と、を比較し、出力シャッター音がマイク部１８に集音（認識）されたか否かを判定する（ステップＡ４）。
【００２６】
出力シャッター音が集音された場合（ステップＡ４のＹＥＳ）、制御部１１は、カメラ部１２で撮影した画像データを記憶部１３に保存させ（ステップＡ５）、その後、終了する。
【００２７】
出力シャッター音が集音されなかった場合（ステップＡ４のＮＯ）、制御部１１は、カメラ部１２で撮影した画像データの保存が不可である旨を表示出力、音声出力等によりユーザに通知し（ステップＡ６）、画像データを保存せずに終了する。
【００２８】
実施形態１によれば、以下に記載するような効果を奏する。
【００２９】
第１の効果は、周囲雑音が大きい場所や水中などのスピーカ音が聞こえづらい環境下においても、カメラ撮影の際に盗撮防止機能を提供することができることである。
【００３０】
第２の効果は、スピーカ音孔を塞いだり、スピーカをはずすなど、スピーカ音出力による盗撮防止効果が低い状況においても、カメラ撮影による盗撮を防止する機能を提供することができることである。
【００３１】
次に、本発明の他の実施形態に係る携帯端末について説明する。
【００３２】
（実施形態２）
実施形態１では、カメラ撮影に時間がかかることを考慮して、シャッターキーを押下したときに常にカメラ撮影を実行し、シャッター音が認識されないときに画像データを保存しないことで盗撮を防止しているが、実施形態２では、音認識部にてシャッター音が認識されないと判定された場合にはカメラ撮影そのものを実行しないようにする。その他の構成及び動作は、実施形態１と同様である。これにより、より確実な盗撮防止機能を実現できる。
【００３３】
（実施形態３）
実施形態１−２では、単にシャッター音が集音（認識）された場合に、画像データ保存、又は、カメラ撮影を可能としているが、実施形態３では、音認識部にてシャッター音の出力から集音（認識）までの時間を制限する。例えば、図３に示すように、スピーカ部からのシャッター音（スピーカ出力音）の出力開始からマイク部にシャッター音（マイク入力音）の入力開始までには一定の伝播時間が発生するため、シャッター音の出力開始から時間Ｔ１経過後から時間Ｔ２の間のみをシャッター音認識可能時間と限定する。その他の構成及び動作は、実施形態１−２と同様である。これにより、カメラ撮影後に被写体から離れた位置でシャッター音と同等の音を鳴らすことによってデータ保存を可能にするといった悪質な盗撮防止回避行為を確実に防ぐことができる。
【００３４】
（実施形態４）
実施形態１−２では、シャッター音の認識により画像データの保存を可能としているが、実施形態４では、音認識部にて任意の設定された音声を認識することにより、画像データ保存又はカメラ撮影を中止させる。例えば、カメラ撮影からデータ保存までの間に「ストップ」、「盗撮」などのあらかじめ設定された特定の音声等よりなるデータ保存中止音を認識した場合には、画像データの保存を中止させる。また、本機能をより有効に実現させるために、カメラ撮影後の所定時間内に、音認識部にてデータ保存中止音を認識したときに画像データの保存を中止する。データ保存中止音を認識するための時間は、実施形態２のシャッター音を認識するための時間よりも長くすることが好ましい。その他の構成及び動作は、実施形態１と同様である。これにより、シャッター音の認識の有無に関わらず画像データの保存が中止されるので、より確実な盗撮防止機能を実現できる。なお、データ保存中止音は、言葉に限らず、悲鳴や警告音など認識可能な音であれば実現可能である。
【００３５】
（実施形態５）
実施形態４では、データ保存中止音が認識された場合に画像データの保存を中止としているが、実施形態５では、音認識部にてデータ保存後所定時間内にデータ保存中止音と同様な音（データ消去音）を認識したときに保存した画像データを消去する。その他の構成及び動作は、実施形態１と同様である。これにより、より確実な盗撮防止機能を実現できる。
【００３６】
（実施形態６）
実施形態１では、単にシャッター音が集音（認識）された場合にカメラ部で撮影した画像データ保存を可能としているが、実施形態６では、音認識部にてシャッター音が認識されてもシャッター音の音量が盗撮を防止するための音量を満たす場合のみ、シャッター音が集音されたと判定するようにする。その他の構成及び動作は、実施形態１と同様である。これにより、より確実な盗撮防止機能を実現できる。
【００３７】
なお、本発明が上記各実施形態に限定されず、本発明の技術思想の範囲内において、各実施例は適宜変更され得ることは明らかである。
【図面の簡単な説明】
【００３８】
【図１】本発明の実施形態１に係る携帯端末の主な構成部を模式的に示したブロック図である。
【図２】本発明の実施形態１に係る携帯端末の動作を模式的に示したフローチャートである。
【図３】本発明の実施形態３に係る携帯端末の撮影の際のシャッター音認識可能時間を説明するための模式図である。
【符号の説明】
【００３９】
１  携帯端末
１１  制御部
１２  カメラ部
１３  記憶部
１４  音源部
１５  Ｄ／Ａ変換部
１６  スピーカアンプ部
１７  スピーカ部
１８  マイク部
１９  マイクアンプ部
２０  Ａ／Ｄ変換部
２１  音認識部
２２  操作部
【図１】
2008236173.tif 000003
【図２】
2008236173.tif 000004
【図３】
2008236173.tif 000005